(57)【要約】      （修正有）【課題】軽量化を図るとともに、耐久性を有し安価なＡＥＤ収納ボックスを提供する。【解決手段】ダンボール又は硬質紙製の収納ボックス１であり、一枚のダンボール又は硬質紙の両側を２つの折り目に沿って後方へ折り曲げることにより略断面コ字状に形成される前壁２ｂ及び左右の側壁２ａ、２ｃと、側壁の後端部と固定される後壁と、前壁、側壁及び後壁の内側に固定される棚板４と、側壁及び後壁の頂部に固定される屋根板６と、前壁、側壁及び後壁の底部に固定される基台５とからなり、前壁の上方は、一方の側壁と折り目を介して連接されているとともに、略鉤状の切り込みが他方の折り目の上端から前壁を横断していて開閉可能な扉部７を形成し、扉部と棚板、屋根板、側壁及び後壁とで収納スペース３を形成している。【選択図】図２
0003213858.tif 000002
【実用新案登録請求の範囲】
【請求項１】
前壁、左右の側壁及び後壁からなる本体と、当該本体の内側に固定される棚板と、前記左右の側壁及び後壁の頂部に固定される屋根板と、前記本体の底部に固定される基台とからなるダンボール又は硬質紙製の収納ボックスであって、
前記前壁の上方は、開閉可能な扉部を形成していること、
及び前記扉部、棚板、屋根板、左右の側壁及び後壁とで収納スペースを形成していること、
を特徴とする収納ボックス。
【請求項２】
前壁、左右の側壁及び後壁からなる本体と、当該本体の内側に固定される棚板と、前記本体の底部に固定される基台と、前記前壁、左右の側壁及び後壁の頂部を覆う開閉可能な屋根としての扉部とからなるダンボール又は硬質紙製の収納ボックスであって、
前記扉部、棚板、前壁、左右の側壁及び後壁とで収納スペースを形成していること、
を特徴とする収納ボックス。
【請求項３】
一枚のダンボール又は硬質紙の両側を２つの折り目に沿って後方へ折り曲げることにより略断面コ字状に形成される前壁及び左右の側壁と、前記左右の側壁の後端部と固定される後壁と、前記前壁、左右の側壁及び後壁の内側に固定される棚板と、前記左右の側壁及び後壁の頂部に固定される屋根板と、前記前壁、左右の側壁及び後壁の底部に固定される基台とからなるダンボール又は硬質紙製の収納ボックスであって、
前記前壁の上方は、一方の前記側壁と前記折り目を介して連接されているとともに、略鉤状の切り込みが他方の前記折り目の上端から前記前壁を横断していて開閉可能な扉部を形成していること、
及び前記扉部、棚板、屋根板、左右の側壁及び後壁とで収納スペースを形成していること、
を特徴とする収納ボックス。
【請求項４】
一枚のダンボール又は硬質紙の両側を２つの折り目に沿って後方へ折り曲げることにより略断面コ字状に形成される前壁及び左右の側壁と、前記左右の側壁の後端部と固定される後壁と、前記前壁、左右の側壁及び後壁の内側に固定される棚板と、前記前壁、左右の側壁及び後壁の底部に固定される基台と、前記前壁、左右の側壁及び後壁の頂部を覆う開閉可能な屋根としての扉部からなるダンボール又は硬質紙製の収納ボックスであって、
前記扉部は前記後壁の上端に折り目を介して連接されていること、
及び前記扉部、棚板、前壁、左右の側壁及び後壁とで収納スペースを形成していること、
を特徴とする収納ボックス。
【請求項５】
一枚のダンボール又は硬質紙を４つの折り目に沿って折り曲げることにより前壁、左右の側壁及び後壁からなる略断面方形状に形成される本体と、前記本体の内部に設けられた棚板と、前記左右の側壁及び後壁の頂部に固定された屋根板と、前記本体の底部に固定された基台とからなるダンボール又は硬質紙製の収納ボックスであって、
前記前壁の上方は、一方の前記側壁と前記折り目を介して連接されているとともに、略鉤状の切り込みが他方の前記側壁との折り目の上端から前記前壁を横断していて開閉可能な扉部を形成していること、
及び前記扉部、棚板、屋根板、左右の側壁及び後壁とで収納スペースを形成していること、
を特徴とする収納ボックス。
【請求項６】
前記収納スペースの前壁には、窓が設けられていること、
を特徴とする請求項２又は４に記載の収納ボックス。
【請求項７】
前記扉部には、窓が設けられていること、
を特徴とする請求項１から６までのいずれか１項に記載の収納ボックス。
【請求項８】
前記扉部には、当該扉部を閉じた状態に固定するためのロックを有し、前記収納スペース内には、前記ロックと掛合するロック受部が形成されていること、
を特徴とする請求項１から７までのいずれか１項に記載の収納ボックス。
【請求項９】
前記ロックは、前記扉部に沿ってスライド移動可能に構成され、前記ロック受部に掛合した際に前記扉部を閉じた状態に固定すること、
を特徴とする請求項８に記載の収納ボックス。
【請求項１０】
前記扉部の裏面と当該扉部の戸当り部となる前記左右いずれかの側壁の辺又は前記前壁の頂辺には、互いに対応する位置に面ファスナーが取り付けられており、当該面ファスナーが互いに着接した際に前記扉部が閉じた状態に固定されること、
を特徴とする請求項１から請求項７までのいずれか１項に記載の収納ボックス。
【考案の詳細な説明】
【技術分野】
【０００１】
本考案は、ダンボール又は硬質紙で形成する収納ボックス、特にＡＥＤを収納する収納ボックスに関する。  
【背景技術】
【０００２】
昨今、心臓発作や事故等の突然の事態に備えて、救急ＡＥＤ（Automated External Defibrillator、自動体外式除細動器）を設置する施設や自治体等が増えている。このＡＥＤは、通常ボックスの中に収納されており、緊急の救命活動に必要なことから、ボックスとともにできるだけ多くの場所に設置されるのが望ましい。
【０００３】
上記、ＡＥＤ収納ボックスは、通常スチールで形成されているものが多い。しかしながら、スチール製のボックスでは重量が重く、また多くの場所に設置するにはできるだけ製造コストを下げて普及させることが必要である。一方で、耐久性を有する必要がある。
【考案の概要】
【考案が解決しようとする課題】
【０００４】
本考案は上記従来のＡＥＤ収納ボックスの有する課題を解決するもので、軽量化を図るとともに、耐久性を有し安価なＡＥＤ収納ボックスを提供するものである。
【課題を解決するための手段】
【０００５】
上記解題を解決するために、本考案に係る収納ボックスの第１の特徴は、前壁、左右の側壁及び後壁からなる本体と、当該本体の内側に固定される棚板と、前記左右の側壁及び後壁の頂部に固定される屋根板と、前記本体の底部に固定される基台とからなるダンボール又は硬質紙製の収納ボックスであって、前記前壁の上方は、開閉可能な扉部を形成していること、及び前記扉部、棚板、屋根板、左右の側壁及び後壁とで収納スペースを形成していること、にある。
【０００６】
また、本考案に係る収納ボックスの第２の特徴は、前壁、左右の側壁及び後壁からなる本体と、当該本体の内側に固定される棚板と、前記本体の底部に固定される基台と、前記前壁、左右の側壁及び後壁の頂部を覆う開閉可能な屋根としての扉部とからなるダンボール又は硬質紙製の収納ボックスであって、前記扉部、棚板、前壁、左右の側壁及び後壁とで収納スペースを形成していること、にある。
【０００７】
本考案に係る収納ボックスの第３の特徴は、一枚のダンボール又は硬質紙の両側を２つの折り目に沿って後方へ折り曲げることにより略断面コ字状に形成される前壁及び左右の側壁と、前記左右の側壁の後端部と固定される後壁と、前記前壁、左右の側壁及び後壁の内側に固定される棚板と、前記左右の側壁及び後壁の頂部に固定される屋根板と、前記前壁、左右の側壁及び後壁の底部に固定される基台とからなるダンボール又は硬質紙製の収納ボックスであって、前記前壁の上端は、一方の前記側壁と前記折り目を介して連接されているとともに、略鉤状の切り込みが他方の前記折り目の上端から前記前壁を横断していて開閉可能な扉部を形成していること、及び前記扉部、棚板、屋根板、左右の側壁及び後壁とで収納スペースを形成していること、にある。
【０００８】
また、本考案に係る収納ボックスの第４の特徴は、一枚のダンボール又は硬質紙の両側を２つの折り目に沿って後方へ折り曲げることにより略断面コ字状に形成される前壁及び左右の側壁と、前記左右の側壁の後端部と固定される後壁と、前記前壁、左右の側壁及び後壁の内側に固定される棚板と、前記前壁、左右の側壁及び後壁の底部に固定される基台と、前記前壁、左右の側壁及び後壁の頂部を覆う開閉可能な屋根としての扉部からなるダンボール又は硬質紙製の収納ボックスであって、前記扉部は前記後壁の上方に折り目を介して連接されていること、及び前記扉部、棚板、前壁、左右の側壁及び後壁とで収納スペースを形成していること、にある。
【０００９】
さらに、本考案に係る収納ボックスの第５の特徴は、一枚のダンボール又は硬質紙を４つの折り目に沿って折り曲げることにより前壁、左右の側壁及び後壁からなる略断面方形状に形成される本体と、前記本体の内部に設けられた棚板と、前記左右の側壁及び後壁の頂部に固定された屋根板と、前記本体の底部に固定された基台とからなるダンボール又は硬質紙製の収納ボックスであって、前記前壁の上方は、一方の前記側壁と前記折り目を介して連接されているとともに、略鉤状の切り込みが他方の前記側壁との折り目の上端から前記前壁を横断していて開閉可能な扉部を形成していること、及び前記扉部、棚板、屋根板、左右の側壁及び後壁とで収納スペースを形成していること、にある。
【００１０】
さらにまた、本考案に係る収納ボックスの第６の特徴は、前記第２又は４の特徴における前記収納スペースの前壁に、窓が設けられていること、にある。
【００１１】
また、本考案に係る収納ボックスの第７の特徴は、前記第１から６までのいずれか１の特徴における前記扉部に、窓が設けられていること、にある。
【００１２】
さらに、本考案に係る収納ボックスの第８の特徴は、前記第１から７までのいずれか１の特徴における前記扉部に、当該扉部を閉じた状態に固定するためのロックを有し、前記収納スペース内には、前記ロックと掛合するロック受部が形成されていること、にある。
【００１３】
さらにまた、本考案に係る収納ボックスの第９の特徴は、前記第８の特徴における前記ロックが、前記扉部に沿ってスライド移動可能に構成され、前記ロック受部に掛合した際に前記扉部を閉じた状態に固定すること、にある。
【００１４】
また、本考案に係る収納ボックスの第１０の特徴は、前記第１から７までのいずれか１の特徴における前記扉部の裏面と当該扉部の戸当り部となる前記左右いずれかの側壁の辺又は前記前壁の頂辺には、互いに対応する位置に面ファスナーが取り付けられており、当該面ファスナーが互いに着接した際に前記扉部が閉じた状態に固定されること、にある。
【考案の効果】
【００１５】
本考案によれば、ＡＥＤ収納ボックスの重量及び製造コストを下げることができ、これによりＡＥＤ収納ボックスを普及することが可能となる。また、ダンボールを組み立てて製造することにより、簡易な構造で強度のあるＡＥＤ収納ボックスを提供することができる。
【図面の簡単な説明】
【００１６】
【図１】図１は本考案に係る収納ボックスの第１の実施の形態を示したものであり、扉部が空いた状態を右方より見た様子を示す斜視図である。
【図２】図２は本考案に係る収納ボックスの第１の実施の形態を示したものであり、扉部が開いた状態を左方より見た様子を示す斜視図である。
【図３】図３は本考案に係る収納ボックスの第１の実施の形態を示したものであり、扉部が開いた状態を左方より見た様子を示す斜視図である。
【図４】図４は本考案に係る収納ボックスの第１の実施の形態の展開図である。
【図５】図５は本考案に係る収納ボックスの第２の実施の形態を示したものであり、上方より見た斜視図である。
【図６】図６は本考案に係る収納ボックスの第２の実施の形態を示したものであり、上扉が開いている状態を示した斜視図である。
【図７】図７は本考案に係る収納ボックスの第２の実施の形態を示したものであり、上扉が開いたときの状態を上方より見た様子を表した斜視図である。
【図８】図８本考案に係る収納ボックスの第２の実施の形態の展開図である。
【図９】図９は本考案に係る収納ボックスの第３の実施の形態の展開図である。
【考案を実施するための形態】
【００１７】
以下、図を参照して、本考案の実施形態を説明する。
【実施例１】
【００１８】
図１から図３は、本考案に係る収納ボックスの第１の実施例を示した斜視図である。図中、１は本考案に係るダンボール又は硬質紙製のＡＥＤ収納ボックスであり、図４にある展開図の状態から図１から３に示されるように組み立てられ、ボックス本体２Ａの上方にＡＥＤを収納する収納スペース３を形成している。収納スペース３は、ＡＥＤが収納されるのに十分な大きさを備えている。収納スペース３の底部には、棚板４が設けられている。また、本体２Ａの底部には、本体２を縦立させるための基台５が、頂部には収納スペース３の天井部分をなす屋根板６がそれぞれ設けられている。なお、棚板４、基台５、屋根板６はいずれもダンボール又は硬質紙である。
【００１９】
本体２Ａは、一枚のダンボール又は硬質紙を折り曲げ形成してなる左側壁２ａ、前壁２ｂ、右側壁２ｃと、一枚の後壁２ｄが組み合わされて四方の壁を構成する。前壁２ｂの上方には、前後方向へ回動する扉部７が形成されており、収納スペース３の扉をなし、収納スペース３の開口部３ａを開閉することができるようになっている。扉部７は、折り目３２を介して右側壁２ｃと連接されているとともに、折り目３１の上端から前壁２ｂを横断する鉤状の切り込みが折り目３２まで形成されてなる。扉部７の頂辺は、左側壁２ａ、右側壁２ｃ、後壁２ｄの頂辺に比べて僅かに低くなっている。収納スペース３は、扉部７、棚板４、左側壁２ａ、右側壁２ｃ、後壁２ｄ及び屋根板６とから形成される。
【００２０】
図４は、実施例１の展開図であり、左側壁２ａと前壁２ｂとの境界部分である折り目３１及び前壁２ｂと右側壁２ｃとの境界部分である折り目３２に沿って、左側壁２ａと右側壁２ｃとが後方へ、前壁２ｂに対してそれぞれ直角をなすよう断面コ字状に折り曲げられ、後壁２ｄが左側壁２ａと右側壁２ｃとの間に連結されて組み立てられる。このとき、左側壁２ａと右側壁２ｃ、前壁２ｂと後壁２ｄはそれぞれ平行に対向している。
【００２１】
図４に示すように、後壁２ｄの左右の辺には、後壁連結片８ａが突出して形成されている。図示の例では、左右にそれぞれ４個ずつ形成されている。また、左側壁２ａの左端及び右側壁２ｃの右端には後壁連結片８ａと嵌合する側壁嵌合溝９がそれぞれ対応する位置に形成されている。
【００２２】
さらに、棚板４には、前後左右の辺に棚板連結片８ｂが突出して形成されており、図示の例では、長手方向前後の辺に２つの棚板連結片８ｂが、左右の辺に１つの棚板連結片８ｂがそれぞれ形成されている。また、本体２Ａ内側には、棚板連結片８ｂに嵌合する嵌合溝１０が、棚板４が設けられる位置に形成されている。図示の例では、本体２Ａの中央よりやや上の部分において左側壁２a及び右側壁２ｃにそれぞれ１個所、前壁２ｂ及び後壁２ｄにそれぞれ２個所ずつ設けられている。
【００２３】
さらにまた、本体２Ａの底部には、底板１１が取り付けられている。底板１１には、前後左右の辺に底板連結片８ｃが突出して形成されており、図示の例では、長手方向前後の辺に２つの底板連結片８ｃが、左右の辺に１つの底板連結片８ｃがそれぞれ形成されている。また、本体２Ａの下端部内側には、底板連結片８ｃに嵌合する底板嵌合溝１２が、底板１１が設けられる位置に形成されている。図示の例では、本体２Ａの下端部において左側壁２a及び右側壁２ｃにそれぞれ１個所、前壁２ｂ及び後壁２ｄにそれぞれ２個所ずつ設けられている。
【００２４】
左側壁２ａ、前壁２ｂ、右側壁２ｃがコ字状に折り曲げられた状態で各棚板嵌合溝１０に棚板４の各棚板連結片８ｂを嵌入するとともに、各底板嵌合溝１２に底板１１の底板連結片ｃを嵌入した後、後壁２ｄの各後壁連結片８ａを左側壁２ａ、前壁２ｂ、右側壁２ｃの対応する各後壁嵌合溝９に、後壁２ｄの対応する各棚板嵌合溝１０に棚板４の各棚板連結片８ｂを、後壁２ｄの対応する各底板嵌合溝１２に底板１１の各底板連結片８ｃをそれぞれ嵌入することにより連結され、横断面四角状の本体２Ａが形成される。
【００２５】
また、左側壁２ａ、右側壁２ｃ及び後壁２ｄの頂部の辺には、屋根板連結片８ｄがそれぞれ突出して形成されおり、図示の例では、左側壁２ａ、右側壁２ｃに１つずつ、後壁２ｄに２つそれぞれ形成されている。屋根板６は、本体２Ａの上部開口でもある収納スペース３の開口を塞ぐため、当該開口よりも大きく形成されている。屋根板６には、屋根板連結片８ｄに対応する位置に屋根板嵌合溝１３がそれぞれ設けられていて、各屋根板嵌合溝１３に各屋根板連結片８ｄを嵌入することにより、屋根板６が本体２Ａの頂部に収納スペース３の開口を塞ぐように連結される。
【００２６】
さらに、本体２Ａの底辺には、基台連結片８ｅがそれぞれ突出して形成されおり、図示の例では、左側壁２ａ、右側壁２ｃに１つずつ、前壁２ｂ、後壁２ｄに２つずつそれぞれ形成されている。基台５は、本体２Ａを安定して縦立させるため、本体２Ａの四辺よりも大きく形成されている。基台５には、基台連結片８ｅに対応する位置に基台嵌合溝１４がそれぞれ設けられていて、各基台嵌合溝１４に各基台連結片８ｅを嵌入することにより、基台５が本体２Ａの底辺と連結される。
【００２７】
扉部７には窓孔１５及び縦長矩形状のロック孔１６が切り欠き形成されている。ロック孔１６はダンボール又は硬質紙製のスライド式ロック１７を挿入するとともに、上下動させるための案内孔の役割を有する。図示の例では、ロック孔１６は扉部７の左端部に穿孔されており、窓孔１５はロック孔１６から少し離れる必要から左端部が中央に向かって略凹状の窪みを有する略四角状に形成されている。なお、窓孔１５の形状は特に限定されるものではなく、四角、丸、多角形等その形状は問わない。
【００２８】
スライド式ロック１７は取手部１７ａと取手部１７ａの後方から細長状に延出した延出部１７ｂと延出部１７ｂの略中央部から下方に凸状に突出するロック部１７ｃを有し、ロック孔１６に挿入されている。取手部１７ａは、スライド式ロック１７を上下にスライドして動かすために手で掴む部位であり、正面縦長状に形成されている。また、収納スペース３内であって左側壁２ａの左端部（図４参照）には、ダンボール又は硬質紙製のロック受部１８が設けられている。ロック受部１８は前面が平面になっていて、ロック受部１８の後方は鉤型に形成されたロック溝部１８ａを形成している。ロック受部１８は、ロック溝部１８ａとスライド式ロック１７のロック部１７ｃとが嵌合する位置に取り付けられており、取手部１７ａを手で摘んで下方へスライドさせることによりロック部１７ｃとロック溝部１８ａとが嵌合し、鍵がかかる状態となり、扉部７が前方に開かなくなる。一方で、取手部１７ａを手で摘んで上方へスライドさせることにより、ロック部１７ｃとロック溝部１８ａとの嵌合がはずれ、鍵が解除された状態となり、扉部７を前方へ開くことが可能となる。
【００２９】
窓孔１５には、窓孔１５と同形状で窓孔１５より外枠が大きく形成されたダンボール又は硬質紙製の窓枠１９が取り付けられている。また、窓枠１９には、窓枠１９と同形状で同じ大きさの窓２０が取り付けられている。窓２０は透明の部材が使用され、軽量化の観点からプラスチック等の合成樹脂で形成されるのが望ましい。
【００３０】
窓２０が取り付けられた窓枠１９は、扉部７の裏面に窓孔１５に沿って取り付けられ、窓２０は窓孔１５全体を覆うように取り付けられる。窓枠１９への窓２０の取り付け、扉部７への窓枠１９の取り付けは通常接着剤をつけて行われるが、例えば窓枠１９に突起を設け、扉部７の裏面に該突起と嵌合する溝を設けて取り付けたり、窓枠１９を窓孔１５に嵌め込むようにする等その方法は問わない。扉部７に窓を設けることにより、収納スペース３内の様子が分かり、現在ＡＥＤが収納ボックス１内にあるかどうかをすぐに確認することができる。
【実施例２】
【００３１】
図５から図８は、本考案に係る収納ボックスの第２の実施例を示したものである。実施例２では実施例１の屋根板６が扉部２１に替えられたものであり、扉部２１が上下に回動開閉するように本体２Ｂの頂部に載置されているものである。また、前壁２２ｂは切り込みされることなく、左側壁２２ａ及び右側壁２２ｃと同じ高さに形成されている。
【００３２】
すなわち、図８にあるように、扉部２１は後壁２２ｄの上端と連結しており、後壁２２ｄの上端部は左側壁２２ａ、前壁２２ｂ、右側壁２２ｃと比較して扉部２１の厚さ分、高さ方向に長くなっている。また、扉部２１には窓孔２３及びロック孔２４が切り欠き形成されており、図示の例では、それぞれ略長方形状に形成されている。扉部２１に取り付けられるスライド式ロック１７及び窓枠２５、窓２６は実施例１と同様なので、ここでは説明を省略する。
【００３３】
左側壁２２ａ、前壁２２ｂ、右側壁２２ｃは一枚のダンボール又は硬質紙で、それぞれ同じ高さで形成されている。実施例２では、実施例１のように屋根板６を有せず、扉部２１を固定させないため、左側壁２２ａ、前壁２２ｂ、右側壁２２ｃの頂辺には、連結片を有しない。また、前壁２２ｂには、スペース３の位置に窓孔２７が方形状に切り欠き形成されている。
【００３４】
前壁２２ｂの裏面上端部（図８参照）には、ロック受部１８が、ロック溝部１８ａとスライド式ロック１７のロック部１７ｃとが嵌合する位置に設置されており、本実施例の場合、ロック溝部１８ａが下方に向かって取り付けられている。取手部１７ａを手で摘んで左方へスライドさせることによりロック部１７ｃとロック溝部１８ａとが嵌合し、鍵がかかる状態となり、扉部７が上方に開かなくなる。一方で、取手部１７ａを手で摘んで右方へスライドさせることにより、ロック部１７ｃとロック溝部１８ａとの嵌合がはずれ、鍵が解除された状態となり、扉部７を上方へ開くことが可能となる。なお、ロックされる状態はロック部１７ｃ及びロック溝部１８ａの向きにより変わるので、それらの向きを変えて取り付け、右方へスライドさせることによりロックされ、左方にスライドさせることによりロックが解除されるようにしてもよい。また、実施例１と同様に、窓２８が窓枠２９に取り付けられ、窓孔２７に沿って取り付けられている。その他については実施例１と同様なので、ここでは説明を省略する。
【実施例３】
【００３５】
図９は、本考案に係る収納ボックスの第３の実施例の展開図を示したものである。本実施例では、左側壁３０a、前壁３０ｂ、右側壁３０ｃ、後壁３０ｅ、３０ｆが一枚のダンボール又は硬質紙で本体２Ｃを形成ものである。
【００３６】
左側壁３０ａと右側壁３０ｃとが折り目３１、３２に沿って後方に向かってそれぞれ直角をなすように折り曲げられるとともに、後壁３０ｅと後壁３０ｆとが境界部分である折り目３３、３４に沿って内側へ向かってそれぞれ直角をなすように折り曲げられる。後壁３０ｆの左端部はのりしろ３５になっていて後壁３０ｅの面と接着剤にて固着される。その他の組み立て方法については、実施例１と同様であるので説明を省略する。
【００３７】
図９にあるように、扉部３６は折り目３２を介して右側壁３０ｃと連接している。また、扉部６には窓孔３７が切り欠き形成されており、図示の例では、それぞれ略長方形状に形成されている。扉３６に取り付けられる窓枠３７、窓３８の取り付け方法は実施例１と同様なので、ここでは説明を省略する。
【００３８】
図９では、スライド式ロック１７やロック受部１８が記載されていないが、これを実施例１のように取り付けることは自由である。また、スライド式ロック１７の代わりに、左側壁３０ａの左端辺で形成される扉部３６の戸当り部３９とそれに対応する扉部３６の裏面の位置に面ファスナーのようなものを貼り付けて戸当り部３９と扉部７とを着脱自在に固着できるようにし、扉部７を容易に開けるようにしてもよい。この場合、実施例２では、戸当り部は前壁２２ｂの頂辺となる。
【００３９】
以上説明したように、本考案に係る収納ボックスでは、窓以外は全てダンボール又は硬質紙（紙材）で形成される。よって、軽量化が図られるとともに、簡易に組み立てすることが可能となり、製造コストの軽減することができる。また、表面に印刷や塗装を施すことで商業的な効果を望むことができ、例えば図のようにＡＥＤが収納されていることを表示して注意を喚起することが可能となる。さらに、耐用期間を経過した後はリサイクル材として再利用したり、焼却することができるので処分が容易である。
【産業上の利用可能性】
【００４０】
本考案は、ＡＥＤを収納するボックスとして説明したが、他の物品の収納ボックスとしても使用することができる。
【符号の説明】
【００４１】
１          収納ボックス
２Ａ、２Ｂ、２Ｃ    収納ボックス本体
２ａ、２２ａ、３０ａ    左側壁
２ｂ、２２ｂ、３０ｂ    前壁
２ｃ、２２ｃ、３０ｃ    右側壁
２ｄ、２２ｄ、３０ｆ、３０ｅ    後壁
３          収納スペース
４          棚板
５          基台
６          屋根板
７、２１、３６    扉部
１５、２７、３７    窓孔
１７        スライド式ロック
１８        ロック受部
２０        窓
【図１】
0003213858.tif 000003
【図２】
0003213858.tif 000004
【図３】
0003213858.tif 000005
【図４】
0003213858.tif 000006
【図５】
0003213858.tif 000007
【図６】
0003213858.tif 000008
【図７】
0003213858.tif 000009
【図８】
0003213858.tif 000010
【図９】
0003213858.tif 000011